【手続補正書】
【提出日】令和1年9月25日(2019.9.25)
【手続補正１】
【補正対象書類名】特許請求の範囲
【補正対象項目名】全文
【補正方法】変更
【補正の内容】
【特許請求の範囲】
【請求項１】
第１電子機器および第２電子機器と通信するサーバであって、
前記第１電子機器から送信されたメッセージを受信する通信部と、
前記メッセージが第１メッセージを含む場合、前記メッセージに含まれる前記第１メッセージとは異なる第２メッセージに基づいて、第１コンテンツを利用するための第１属性情報を決定する決定部と、
前記決定部によって決定された第１属性情報を前記メッセージに関連付ける関連付け部と、
前記第１属性情報が関連付けられたメッセージを、前記第２電子機器に前記通信部によって送信する制御を行う制御部とを含む。
【請求項２】
請求項１に記載のサーバであって、
複数のキーワードに対し、前記複数のキーワードそれぞれに対応するように予め設定された複数のコンテンツに関する情報を記憶する記憶部を含み、
前記決定部は、前記複数のコンテンツのうち、前記第２メッセージに対応する前記第１コンテンツを利用するための前記第１属性情報を決定する。
【請求項３】
請求項１に記載のサーバであって、
前記第１属性情報は、前記第１コンテンツに対するタイプおよび識別子のうちの少なくとも１つを含み、
前記第２電子機器は、前記タイプまたは前記識別子に対応する前記第１コンテンツを利用する。
【請求項４】
請求項３に記載のサーバであって、
前記第１属性情報は、前記第１コンテンツの利用結果に関する情報を含み、
前記第２電子機器は、前記利用結果に関する情報を利用する。
【請求項５】
請求項３に記載のサーバであって、
前記第１属性情報は、前記第１コンテンツに対するソース情報と前記第１コンテンツを提供するメディアのソース情報とのうちの少なくとも１つのソース情報を含み、
前記第２電子機器は、前記少なくとも１つのソース情報を利用して前記第１コンテンツを利用する。
【請求項６】
請求項３に記載のサーバであって、
前記第１属性情報は、前記第１コンテンツに対するディスプレイタイプを含み、
前記ディスプレイタイプは、ＵＲＬ、イメージ、動画、およびオーディオのうちの少なくとも１つのタイプを含み、
前記第２電子機器は、前記ディスプレイタイプに基づいて前記第１コンテンツを利用する。
【請求項７】
請求項３に記載のサーバであって、
前記第１属性情報は、前記第１コンテンツに参加する参加者に関する情報を含み、
前記第１属性情報に含まれる前記参加者に関する情報に対応する参加者と共に、前記第１コンテンツを利用するためのサービスを提供する提供制御部とを含む。
【請求項８】
請求項７に記載のサーバであって、
前記第１属性情報は、前記参加者のうち、前記第１コンテンツを進行する進行者に関する情報を含み、
前記サービス提供制御部は、前記進行者の電子機器から受信された進行命令に基づいて前記サービスを進行するように前記サーバを制御する。
【請求項９】
請求項３に記載のサーバであって、
前記第１属性情報は、前記第１コンテンツの利用によって導出可能な結果値の範囲に関する情報をさらに含み、
前記第２電子機器は、前記結果値の範囲に基づいて前記第１コンテンツを利用する。
【請求項１０】
請求項３に記載のサーバであって、
前記第１属性情報は、前記第１コンテンツを利用するためのアプリケーションに関する情報を含み、
前記第２電子機器は、前記アプリケーションを起動し、起動された前記アプリケーションを通じて前記第１コンテンツを利用する。
【請求項１１】
請求項１に記載のサーバであって、
前記第２電子機器は、前記第１コンテンツの利用のためのリンクを前記メッセージに対応して表示し、前記メッセージに含まれる前記第１属性情報に対応する前記第１コンテンツを利用するためのアプリケーションを、前記リンクを通じて起動し、前記アプリケーションを通じて前記第１コンテンツを利用する。
【請求項１２】
請求項１に記載のサーバであって、
前記第１コンテンツは、前記メッセージに付加された前記第１属性情報に基づいて、前記第２電子機器で利用される。
【請求項１３】
請求項１に記載のサーバであって、
前記第２メッセージは、初期キーワードおよび追加キーワードを含み、
前記第１電子機器で前記第１電子機器のユーザによって前記予め設定された文字および初期キーワードが入力された場合、前記第１電子機器が前記初期キーワードに対応する追加情報リストを前記第１電子機器のユーザに提供し、前記追加情報リストから前記第１電子機器のユーザによって選択された追加情報に対応する追加キーワードを前記キーワードに追加する。
【請求項１４】
コンピュータによって実現されるサーバによる情報処理方法であって、
第１電子機器から送信されたメッセージを前記サーバの通信部によって受信することと、
前記メッセージが第１メッセージを含む場合、前記メッセージに含まれる前記第１メッセージとは異なる第２メッセージに基づいて、第１コンテンツを利用するための第１属性情報を前記サーバの決定部によって決定することと、
前記決定部によって決定された第１属性情報を前記メッセージに前記サーバの関連付け部によって関連付けることと、
前記第１属性情報が関連付けられたメッセージを、前記第１電子機器とは異なる第２電子機器に前記通信部によって送信することとを含む。
【請求項１５】
コンピュータによって実現されるサーバによって実行されるプログラムであって、
第１電子機器から送信されたメッセージを前記サーバの通信部によって受信することと、
前記メッセージが第１メッセージを含む場合、前記メッセージに含まれる前記第１メッセージとは異なる第２メッセージに基づいて、第１コンテンツを利用するための第１属性情報を前記サーバの決定部によって決定することと、
前記決定部によって決定された第１属性情報を前記メッセージに前記サーバの関連付け部によって関連付けることと、
前記第１属性情報が関連付けられたメッセージを、前記第１電子機器とは異なる第２電子機器に前記通信部によって送信することとが前記サーバによって実行される。
【請求項１６】
インスタントメセージングサービスを提供するサーバと通信する第１電子機器によって実行される情報処理方法であって、
前記サーバからメッセージを前記第１電子機器の通信部によって受信することと、
前記メッセージが第１属性情報を含む場合、前記第１電子機器によって、前記第１属性情報に対応する第１コンテンツを利用することとを含み、
前記サーバは、第２電子機器から前記メッセージを受信し、前記メッセージが第１メッセージを含む場合、前記メッセージに含まれる前記第１メッセージとは異なる第２メッセージに基づいて、前記第１コンテンツを利用するための前記第１属性情報を決定し、前記第１属性情報を前記メッセージに関連付けて前記第１電子機器に送信する。
【手続補正２】
【補正対象書類名】明細書
【補正対象項目名】０００６
【補正方法】変更
【補正の内容】
【０００６】
第１電子機器および第２電子機器と通信するサーバであって、
前記第１電子機器から送信されたメッセージを受信する通信部と、
前記メッセージが第１メッセージを含む場合、前記メッセージに含まれる前記第１メッセージとは異なる第２メッセージに基づいて、第１コンテンツを利用するための第１属性情報を決定する決定部と、
前記決定部によって決定された第１属性情報を前記メッセージに関連付ける関連付け部と、
前記第１属性情報が関連付けられたメッセージを、前記第２電子機器に前記通信部によって送信する制御を行う制御部とを含む、サーバが提供される。
【手続補正３】
【補正対象書類名】明細書
【補正対象項目名】０００７
【補正方法】変更
【補正の内容】
【０００７】
コンピュータによって実現されるサーバによる情報処理方法であって、
第１電子機器から送信されたメッセージを前記サーバの通信部によって受信することと、
前記メッセージが第１メッセージを含む場合、前記メッセージに含まれる前記第１メッセージとは異なる第２メッセージに基づいて、第１コンテンツを利用するための第１属性情報を前記サーバの決定部によって決定することと、
前記決定部によって決定された第１属性情報を前記メッセージに前記サーバの関連付け部によって関連付けることと、
前記第１属性情報が関連付けられたメッセージを、前記第１電子機器とは異なる第２電子機器に前記通信部によって送信することとを含む、情報処理方法が提供される。
【手続補正４】
【補正対象書類名】明細書
【補正対象項目名】０００８
【補正方法】変更
【補正の内容】
【０００８】
コンピュータによって実現されるサーバによって実行されるプログラムであって、
第１電子機器から送信されたメッセージを前記サーバの通信部によって受信することと、
前記メッセージが第１メッセージを含む場合、前記メッセージに含まれる前記第１メッセージとは異なる第２メッセージに基づいて、第１コンテンツを利用するための第１属性情報を前記サーバの決定部によって決定することと、
前記決定部によって決定された第１属性情報を前記メッセージに前記サーバの関連付け部によって関連付けることと、
前記第１属性情報が関連付けられたメッセージを、前記第１電子機器とは異なる第２電子機器に前記通信部によって送信することとが前記サーバによって実行される、プログラムが提供される。
インスタントメセージングサービスを提供するサーバと通信する第１電子機器によって実行される情報処理方法であって、
前記サーバからメッセージを前記第１電子機器の通信部によって受信することと、
前記メッセージが第１属性情報を含む場合、前記第１電子機器によって、前記第１属性情報に対応する第１コンテンツを利用することとを含み、
前記サーバは、第２電子機器から前記メッセージを受信し、前記メッセージが第１メッセージを含む場合、前記メッセージに含まれる前記第１メッセージとは異なる第２メッセージに基づいて、前記第１コンテンツを利用するための前記第１属性情報を決定し、前記第１属性情報を前記メッセージに関連付けて前記第１電子機器に送信する、情報処理方法が提供される。
【手続補正５】
【補正対象書類名】明細書
【補正対象項目名】発明の名称
【補正方法】変更
【補正の内容】
【発明の名称】サーバ、情報処理方法およびプログラム